(57)【要約】【課題】注射練習具において、皮内注射時に注射液の吸収や漏出が生じないようにすること【解決手段】シリコーンゲルからなるパッドの少なくとも一方の表面に厚さ１mm以下のゴムシートを接着させる【図面】  図１【特許請求の範囲】
【請求項１】
シリコーンゲルからなるパッドの少なくとも一方の表面に厚さ１mm以下の軟質ゴムシートを接着させた注射練習具。
【請求項２】
ゴムシートがシリコーンゴムからなるシートである請求項１に記載の注射練習具。
【請求項３】
請求項１又は２に記載のパッドとこのパッドを装填する収納部を屈側に設けた前腕模型とからなる注射練習具。
【請求項４】
皮下組織部位をシリコーンゲルで形成した前腕模型の表面に軟質ゴムシートを接着させた注射練習具。
【発明の詳細な説明】
【技術分野】
【０００１】
本発明は、注射練習具に関するものであり、主として皮内注射の練習に使用される。
【背景技術】
【０００２】
注射練習具としては、特許文献１に開示されたものが公知となっている。
この練習具は、ケーシングをその上壁に開口窓を設け下壁を注射部位に沿う湾曲形状となし、ケーシング内に人の皮下層を模したスポンジ体の表面にアクリル系の皮膜を溶剤接着させた弾力部材を収納させたもので、ケーシングを人体の注射予定部位に乗せるなどした後、弾力部材をつまみ上げ、注射針を抵抗感を与えながら刺して注射の練習を行うようにしたものである。
しかしながら、この練習具は、皮下注射の練習には使用できるものの、ツベルクリン反応、アレルゲンの検出、薬物反応、免疫反応などを見るための皮内注射の練習用には使用することができない。なぜならば、注射された液体はスポンジに吸収されてしまうから、皮内注射特有の注射液による皮膚膨出の形成が不可能となるからである。
【０００３】
また、注射液を吸収させない練習具としてシリコーンゲルからなる練習パッドが市販さているが、このパッドは皮内注射用の練習具である。
このパッドを使用して表面近くに注射を行うと、注射液の液圧によってゲル表面が破裂する不都合がある。表面側のやや深い部位で注射をすると破裂を免れる場合があるものの、ゲルに十分な弾力性がないために注射針を抜いても針穴が完全に封止されず、その瞬間に注射液の内圧によって注射液が逆流し噴出してしまう不都合があった。
【特許文献１】特許第２９９１９８２号公報
【発明の開示】
【発明が解決しようとする課題】
【０００４】
本発明は、注射練習具において、皮内注射時に注射液の吸収や漏出が生じないようにすることを課題としたものである。
【課題を解決するための手段】
【０００５】
この技術的課題を解決するため技術的手段は、シリコーンゲルからなるパッドの少なくとも一方の表面に厚さ１mm以下のゴムシートを接着させたこと、である。
【０００６】
シリコーンゲルは注射液を吸収してしまうことがない。ゲルはその材質に脆さがあるが表面にゴムシートが接着されて補強されているから、パッドの表面近くに施した注射の注射液に内圧がかかっても、ゴムシートによってパッドの破裂を阻止することができる。
その状態で注射針を抜いても、針穴はシートのゴム弾性によってが直ちに閉じられるから、、注射液が漏出したり噴出したりすることがない。
【０００７】
ゴムシートは1mm 以下の厚さになっているから、人体の表皮に近似した感触を得ることができ、注射針の刺入時にわずかな抵抗を与えることになる。
人間の皮膚は、たとえば前腕屈側では表皮の厚さが０．１〜０．３mm、表皮と真皮とをあわせても１．４mm程度の厚さである。皮内注射は、針先の穴（たとえば２６ゲージのもので外径は０．４７mm）が完全に皮膚に入るように平行に刺し、０．５〜１．０mm程度挿入してから注射液を注入するのが通例である。したがって、１mmより厚くなると皮内注射の練習は困難となる。
パッドとゴムシートとが接着させられている結果、注射液の内圧が大きくなってもパッドとゴムシートとが剥離することはない。
【０００８】
注射によってゲル内に滞留した注射液は、再度注射針を刺入して抜き取ることができるから、膨出部を容易に消滅させることができる。表面のゴムシートは長期にわたってその弾力を維持することができるから、パッドでの皮内注射の練習を何度でも繰り返し行うことができる。
【発明の効果】
【０００９】
皮内注射時に注射液の吸収や漏出が生じない結果、膨出部を注射液の量に対応した大きさに膨出させることができる利点がある。注入する液量を常時目で確認しながら注射を行えるから、実際の皮内注射と全く同一の感覚及び要領で練習を行うことができる。
【発明を実施するための最良の形態】
【００１０】
このゴムシートは天然及び合成のいずれのゴムシートをも使用することができるが、肌触りなどの観点からはシリコーンゴム製のシートを使用することが望ましい。
パッドとゴムシートとを接着する接着剤は、硬化しても弾性を発揮できるものを使用する。たとえば付加タイプのシリコーン接着剤を好適に使用することができる。
【００１１】
本発明に係るパッドは、皮内注射だけではなく皮下注射を練習する場合にも活用することができる。
パッドの側面及び裏面は、ゲルを硬化させた状態のままにしておくことができる。しかし、裏面にもゴムシートを密着或いは接着させておくことによって、パッドの裏面側をも練習用に使用することができる。
ちなみに、ゴムシートを密着させただけではパッドとゴムシートとが剥離する可能性があるから皮内注射の練習には適さないが、皮下注射の練習には使用することができる。
パッドの裏面側もゴムシートと接着させておくと、両面を皮内注射の練習用として使用することができる。
【００１２】
本発明に係るパッドを前腕模型の屈側に設けた収納部に装填することによって、前腕部に皮内注射行うのと全く同じ感覚でより実践的名注射の練習を行うことができる。この前腕模型は、少なくとも大きさ、外観、弾力などを人体の前腕に近似させておくことが望ましい。
この練習具では、パッドを交換するだけで半永久的に使用できる利点がある。
【００１３】
また、皮下組織部位をシリコーンゲルで形成した前腕模型を形成し、その表面に軟質ゴムシートを接着させると、前腕全体を皮内注射及び皮下注射の練習対象とすることができる。
この発明では、注射を行う部位をも選択できる利点があり、より実践に近い練習を行うことができる。
【実施例】
【００１４】
図１は、本発明に係る円柱形の注射練習パッド１の中央断面図を示したものである。
パッド本体２は、付加タイプのシリコーンゲルで成形してあって、直径６０mm、高さ１５mmの大きさのものであり、側壁３はゲルが硬化した状態となっている。
パッド本体２の表面には、付加タイプのシリコーン接着剤５によって、厚さ０．８mmのシリコーン製のゴムシート６を接着させてあり、裏面には接着剤を使用せずに同様のゴムシート７を密着させている。ゴムシート６、７側から指で押圧すると、成人男性の前腕屈側の弾力と感触が得られるようにしている。
【００１５】
図２は、前腕の模型１１の斜視図である。
模型本体１２は裏面には、台座１３に直立させた支柱１４の上部に挿入するための凹部（図示せず）が設けてあって、挿入させた状態では模型１２が台座１３から浮いた状態で水平に支えられるようにしている。
また、模型本体１２の上面（屈側）には、前記パッド１を装填するための収納部１５を形成している。この収納部１５の深さはパッド１の高さに一致させてあって、パッド１を収納した状態で模型本体１２の表面とゴムシート６とが略面一となるようにしている。
【００１６】
この模型１１を使用して皮内注射の練習を行う場合には、宙に浮いている模型に対して一方の手を下側から添えて他方の手に持った注射器で注射することによって、あたかも人体に皮内注射を実施するのと全く同じ状況で練習を行うことができる。
なお、請求項４に係る発明については、模型を片手でもって自由な姿勢で注射を行うことができる。
【図面の簡単な説明】
【００１７】
【図１】注射練習パッド１の中央断面図
【図２】前腕屈側の模型の斜視図
【符号の説明】
【００１８】
１練習パッド、  ２パッド本体、  ５接着剤、  ６、７シリコーンゴムシート、  １１前腕屈側の模型、  １２模型本体、  １３台座、  １４支柱、  １５パッド収納部
【図１】
2005270509.tif 000002
【図２】
2005270509.tif 000003